(57)【特許請求の範囲】
【請求項１】
通信装置であって、
撮影された第一の画像から第一のアクセスポイントに関する情報を取得する第１の取得手段と、
前記第１の取得手段によって前記情報が取得された後であって、且つ無線ネットワークを構築するために必要な通信パラメータを共有する通信パラメータ共有処理が前記第一のアクセスポイントとの間で実行される前に撮影された第二の画像から第二のアクセスポイントに関する情報を取得する第２の取得手段と、
前記第１の取得手段によって取得した情報を用いて、前記第一のアクセスポイントとの間で、前記通信パラメータ共有処理を実行する第１の実行手段と、
前記第１の実行手段によって実行される通信パラメータ共有処理が、前記第一のアクセスポイントとの間で完了したことを示す完了通知を、当該第一のアクセスポイントから受信する受信手段と、
前記受信手段によって完了通知を受信したことに応じて自動的に、前記第二のアクセスポイントとの間で前記通信パラメータ共有処理を実行する第２の実行手段と、
を有することを特徴とする通信装置。
【請求項２】
画像を撮影する撮影手段を更に有し、
前記第１の取得手段は、前記撮影手段によって撮影された第一の画像を解析して前記第一のアクセスポイントに関する情報を取得し、
前記第２の取得手段は、前記撮影手段によって撮影された第二の画像を解析して前記第二のアクセスポイントに関する情報を取得することを特徴とする請求項１に記載の通信装置。
【請求項３】
前記第一のアクセスポイントに関する情報は、第一のアクセスポイントが保持する公開鍵の情報及び第一のアクセスポイントの識別情報であり、前記通信パラメータ共有処理は、当該公開鍵及び当該識別情報を用いて実行されることを特徴とする請求項１又は２に記載の通信装置。
【請求項４】
前記通信パラメータは、前記第一のアクセスポイント及び前記第二のアクセスポイントが構築する無線ネットワークの通信パラメータであることを特徴とする請求項１乃至３の何れか一項に記載の通信装置。
【請求項５】
前記通信パラメータは、前記無線ネットワークのネットワーク識別子、暗号方式、暗号鍵、認証方式、認証鍵の少なくとも何れかを含むことを特徴とする請求項１乃至４のいずれか一項に記載の通信装置。
【請求項６】
前記無線ネットワークは、ＩＥＥＥ８０２．１１シリーズに準拠した無線ＬＡＮのネットワークであることを特徴とする請求項１乃至５のいずれか一項に記載の通信装置。
【請求項７】
前記第一の画像及び第二の画像は、バーコードまたは二次元コードのいずれかを含むことを特徴とする請求項１乃至６のいずれか一項に記載の通信装置。
【請求項８】
撮影された第一の画像から第一のアクセスポイントに関する情報を取得する第１の取得工程と、
前記第１の取得工程によって前記情報が取得された後であって、且つ無線ネットワークを構築するために必要な通信パラメータを共有する通信パラメータ共有処理が前記第一のアクセスポイントとの間で実行される前に撮影された第二の画像から第二のアクセスポイントに関する情報を取得する第２の取得工程と、
前記第１の取得工程によって取得した情報を用いて、前記第一のアクセスポイントとの間で、前記通信パラメータ共有処理を実行する工程と、
前記通信パラメータ共有処理が、前記第一のアクセスポイントとの間で完了したことを示す完了通知を、当該第一のアクセスポイントから受信する工程と、
前記完了通知を受信したことに応じて自動的に、前記第二のアクセスポイントとの間で前記通信パラメータ共有処理を開始する工程と、
を有することを特徴とする通信方法。
【請求項９】
請求項１乃至７のいずれか一項に記載の通信装置としてコンピュータを動作させるためのプログラム。
【発明の詳細な説明】
【技術分野】
【０００１】
本発明は、通信技術に関する。
【背景技術】
【０００２】
近年、デジタルカメラ、プリンタ、携帯電話・スマートフォンなどの電子機器に無線通信機能を搭載し、これらの機器を無線ネットワークに接続して使用するケースが増えている。
電子機器を無線ネットワークに接続するには、暗号方式、暗号鍵、認証方式、認証鍵等のさまざまな通信パラメータを設定する必要がある。これらの通信パラメータの設定を容易にする技術として、携帯端末が、電子機器により表示される、通信パラメータを示すＱＲコード（登録商標、以下省略）を読み取り、読み取った通信パラメータをアクセスポイントに設定させる技術がある（特許文献１）。
【先行技術文献】
【特許文献】
【０００３】
【特許文献１】特開２０１４−６０６２３号公報
【発明の概要】
【発明が解決しようとする課題】
【０００４】
上述の特許文献１によれば、ＱＲコードを用いて、通信パラメータを１台のアクセスポイントに設定することができる。しかしながら、企業等の複数台のアクセスポイントが存在するネットワーク環境などにおいて、これらの複数台のアクセスポイントに対して同じ通信パラメータを簡単に設定することはできない。
本発明は、複数のアクセスポイントに対して、より簡単に通信パラメータを設定できるようにすることを目的とする。
【課題を解決するための手段】
【０００５】
本発明の第一態様によれば、通信装置であって、撮影された第一の画像から第一のアクセスポイントに関する情報を取得する第１の取得手段と、前記第１の取得手段によって前記情報が取得された後であって、且つ無線ネットワークを構築するために必要な通信パラメータを共有する通信パラメータ共有処理が前記第一のアクセスポイントとの間で実行される前に撮影された第二の画像から第二のアクセスポイントに関する情報を取得する第２の取得手段と、前記第１の取得手段によって取得した情報を用いて、前記第一のアクセスポイントとの間で、前記通信パラメータ共有処理を実行する第１の実行手段と、前記第１の実行手段によって実行される通信パラメータ共有処理が、前記第一のアクセスポイントとの間で完了したことを示す完了通知を、当該第一のアクセスポイントから受信する受信手段と、前記受信手段によって完了通知を受信したことに応じて自動的に、前記第二のアクセスポイントとの間で前記通信パラメータ共有処理を実行する第２の実行手段とを有することを特徴とする。
【発明の効果】
【０００６】
本発明によれば、複数のアクセスポイントに対して、より簡単に通信パラメータを設定できるようになる。
【図面の簡単な説明】
【０００７】
【図１】通信装置のハードウェア構成を示す図である。
【図２】通信装置のソフトウェア機能構成を示す図である。
【図３】通信システムの構成の一例を示す図である。
【図４】実施形態１の通信システムのシーケンスの一例を示す図である。
【図５】実施形態１の通信システムのシーケンスの一例を示す図である。
【図６】実施形態２の通信システムのシーケンスの一例を示す図である。
【図７】実施形態３の通信システムのシーケンスの一例を示す図である。
【図８】実施形態１のスマートフォンの動作を示すフローチャートである。
【図９】実施形態２のスマートフォンの動作を示すフローチャートである。
【図１０】アクセスポイントの動作を示すフローチャートである。
【発明を実施するための形態】
【０００８】
（実施形態１）
以下、本実施形態に係る通信装置について、図面を参照しながら詳細に説明する。以下では、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）８０２．１１シリーズに準拠した無線ＬＡＮシステムを用いた例について説明する。しかしながら、通信形態は必ずしもＩＥＥＥ８０２．１１準拠の無線ＬＡＮには限らない。
【０００９】
図３に本実施形態の通信システムについて示す。図３に示す通信システムには、第一アクセスポイント３２（以後、第一ＡＰと称す）、スマートフォン３３、第二アクセスポイント３４（以後、第二ＡＰと称す）、第３アクセスポイント３５（以後、第三ＡＰと称す）、といった通信装置が含まれる。なお、無線ネットワーク３１は企業内無線ネットワークであり、第一ＡＰ、第二ＡＰおよび第三ＡＰの一部の無線ＬＡＮ設定（ＳＳＩＤ（Ｓｅｒｖｉｃｅ  Ｓｅｔ  Ｉｄｅｎｔｉｆｉｅｒ）、事前共有鍵等）は同一である。それ以外の無線ＬＡＮ設定（例えばＢＳＳＩＤ（Ｂａｓｉｃ Ｓｅｒｖｉｃｅ  Ｓｅｔ  Ｉｄｅｎｔｉｆｉｅｒ）やその他のオプション機能）はそれぞれのＡＰで異なっている。無線ＬＡＮ通信チャネルなどの要素は、それぞれのＡＰで同じでも異なっていてもよい。
【００１０】
本実施形態において、各ＡＰは、ＩＥＥＥ８０２．１１規格に定められたインフラストラクチャモードにおけるＡＰとして動作する。なお、本実施形態ではＡＰ機能のみを有したＡＰ専用機として説明するが、ＡＰ機能に加え、他の機能を有するデジタルカメラやプリンタであっても良い。
【００１１】
続いて、図３に示す通信システムの各通信装置の本実施形態におけるハードウェア構成について図１を用いて説明する。図１において、１０１は装置全体を示す。１０２は、記憶部１０３に記憶される制御プログラムを実行することにより装置全体を制御する制御部である。制御部１０２は例えばＣＰＵ（Ｃｅｎｔｒａｌ  Ｐｒｏｃｅｓｓｉｎｇ  Ｕｎｉｔ）により構成される。１０３は制御部１０２が実行する制御プログラム、画像データ、通信パラメータ等の各種情報を記憶する記憶部である。後述する各種動作は、記憶部１０３に記憶された制御プログラムを制御部１０２が実行することにより行われる。記憶部１０３は、例えば、ＲＯＭ、ＲＡＭ、ＨＤＤ、フラッシュメモリまたは着脱可能なＳＤカードなどの記憶媒体により構成される。
【００１２】
１０４はＩＥＥＥ８０２．１１シリーズに準拠した無線ＬＡＮ通信を行うための無線部である。無線部１０４は、無線通信を行うチップにより構成される。１０５は各種表示を行う表示部でありＬＣＤやＬＥＤのように視覚で認知可能な情報の出力、あるいはスピーカなどの音出力が可能な機能を有する。表示部１０５は視覚情報および音情報の少なくともどちらか一方を出力する機能を備えるものである。表示部１０５は視覚情報を表示する場合、表示する視覚情報に対応する画像データを保持するＶＲＡＭ（Ｖｉｄｅｏ  ＲＡＭ）を有する。表示部１０５は、ＶＲＡＭに格納した画像データをＬＣＤやＬＥＤに表示させ続ける表示制御を行う。
【００１３】
１０６は、撮像素子、レンズ等により構成され、写真や動画の撮影を行う撮影部である。撮影部１０６は、バーコード、二次元コード、ＱＲコード（登録商標）などの画像の撮影を行う。１０７はアンテナ１０８の出力制御を行うアンテナ制御部であり、１０８は無線ＬＡＮで通信するための２．４ＧＨｚ帯および／または５ＧＨｚ帯で通信可能なアンテナである。１０９は、ユーザが各種入力等を行い、通信装置１０１を操作するための入力部である。入力部１０９は、入力に対応するフラグを記憶部１０３等のメモリに記憶する。尚、図１に示した構成は一例であり、通信装置がその他のハードウェア構成を有していてもよい。例えば通信装置がプリンタである場合には、図１に示す構成の他に、印刷部を有していてもよい。また、通信装置がＡＰ専用機である場合には、撮影部１０６は備えていなくてもよい。
【００１４】
図２は、後述の通信制御機能を実行するソフトウェア機能ブロックの構成の一例を表すブロック図である。本実施形態において、各通信装置の機能ブロックは、それぞれ記憶部１０３にプログラムとして記憶され、制御部１０２によって当該プログラムが実行されることによりその機能が実施される。制御部１０２は、制御プログラムにしたがって、各ハードウェアの制御、および、情報の演算や加工を行うことで各機能を実現する。なお、本機能ブロックに含まれる一部または全部がハードウェア化されていてもよい。この場合、各機能ブロックに含まれる一部または全部は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成される。
【００１５】
図２において、２０１はソフトウェア機能ブロック全体を示す。２０２は通信パラメータ制御部である。通信パラメータ制御部２０２は、装置間で通信パラメータを共有するための通信パラメータ共有処理を実行する。通信パラメータ共有処理においては、提供装置が受信装置に、無線通信するための通信パラメータを提供する。通信パラメータは、無線ＬＡＮ通信を行うために必要な無線通信パラメータである。具体的には通信パラメータには、少なくともネットワーク識別子としてのＳＳＩＤ、暗号方式、暗号鍵、認証方式、認証鍵の何れかが含まれる。また、ＭＡＣ（Ｍｅｄｉａ Ａｃｃｅｓｓ Ｃｏｎｔｒｏｌ）アドレス、パスフレーズ、ＩＰ層での通信を行うためのＩＰアドレス、上位サービスに必要な情報等を含めてもよい。通信パラメータ制御部２０２が実行する通信パラメータ共有処理は、Ｗｉ−Ｆｉアライアンスで規定されているＷＰＳ（Ｗｉ−Ｆｉ  Ｐｒｏｔｅｃｔｅｄ  Ｓｅｔｕｐ）またはＷｉ−Ｆｉ  Ｄｉｒｅｃｔであってもよいが、それらに限らない。
【００１６】
２０３はバーコード読み取り制御部である。バーコード読み取り制御部２０３は、撮影部１０６により撮影されたバーコード、二次元コード、ＱＲコードなどの画像を解析し、符号化された情報を取得する。
【００１７】
２０４はバーコード生成制御部である。バーコード、二次元コード、ＱＲコードなどを生成し、生成したバーコード、二次元コード、ＱＲコード等を表示部１０５へ表示するための制御を実施する。２０５はアプリケーションレイヤにおけるサービス制御部である。ここでのアプリケーションレイヤとはＯＳＩ参照モデルにおける第５層以上の上位レイヤにおけるサービス提供層のことをさす。すなわちサービス制御部２０５は、無線部１０４による無線通信を用いて印刷処理や画像ストリーミング処理や、ファイル転送処理などを実行する。
【００１８】
２０６はパケット受信部、２０７はパケット送信部であり、上位レイヤの通信プロトコルを含むあらゆるパケットの送受信を制御する。また、パケット受信２０６及びパケット送信部２０７は、対向装置との間でＩＥＥＥ８０２．１１規格に準拠したパケットの送信及び受信を行うため無線部１０４を制御する。
【００１９】
２０８はステーション機能制御部であり、ＩＥＥＥ８０２．１１規格に定められたインフラストラクチャモードにおけるステーション（ＳＴＡ）として動作するＳＴＡ機能を提供する。ＳＴＡ機能制御部２０８は、ＳＴＡとして動作する際に、認証・暗号処理等を実施する。また、２０９はアクセスポイント機能制御部であり、ＩＥＥＥ８０２．１１規格に定められたインフラストラクチャモードにおけるアクセスポイント（ＡＰ）として動作するＡＰ機能を提供する。ＡＰ機能制御部２０９は、無線ネットワークを形成し、ＳＴＡに対する認証・暗号処理およびＳＴＡの管理等を実施する。２１０はデータ記憶部であり、ソフトウェアそのものおよび、通信パラメータや、バーコード類の情報の記憶部１０３への書き込み及び読み出しの制御を行う。
【００２０】
また、上記機能ブロックは一例であり、複数の機能ブロックが１つの機能ブロックを構成するようにしてもよいし、何れかの機能ブロックが更に複数の機能を行うブロックに分かれてもよい。図１での説明と同様になるが、通信装置がＡＰ専用機である場合には、バーコード読み取り部２０３などは備えなくてよい。
【００２１】
以上の構成を有する通信システムの動作について説明を行う。第一ＡＰ３２、スマートフォン３３との各通信装置間における通信設定時の接続シーケンスを図４に示す。この例では、第一ＡＰ３２によって無線ネットワーク３１を構築させるようにスマートフォン３３から無線ＬＡＮパラメータを設定する場合について説明を行う。図４において、スマートフォン３３は、無線ＬＡＮネットワーク３１の形成のために必要な無線ＬＡＮパラメータを第一ＡＰ３２へ送信する。
【００２２】
第一ＡＰ３２は、通信パラメータの設定を行うために必要な情報を埋め込んだＱＲコードを自装置の表示部１０５にユーザ操作に従って表示させる（Ｆ４０１）。  スマートフォン３３は、第一ＡＰ３２に表示されているＱＲコードを、スマートフォン３３の撮影部１０６により読み取る（Ｆ４０２）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
【００２３】
ここで、通信パラメータの設定を行うために必要な情報とは、例えば、通信パラメータを通信する際に暗号化に用いる情報と装置の識別情報とである。通信パラメータを通信する際に暗号化に用いる情報は、公開鍵または証明書であってよい。なお、通信パラメータ共有処理の際に公開鍵を用いて通信パラメータを暗号化する方法は、例えば、特開２０１３−１７２３７号公報に記載の技術を用いてよい。装置の識別情報は、機器を一意に識別するＭＡＣアドレスやＵＵＩＤ（Ｕｎｉｖｅｒｓａｌ Ｕｎｉｑｕｅ Ｉｄｅｎｔｉｆｉｅｒ）であってよい。また、通信パラメータの設定を行うために必要な情報は、通信パラメータ共有処理を示す識別子であってもよい。その他、ＱＲコードを用いたワンタイムパスワード方式などの識別情報が含まれていてもよい。
【００２４】
スマートフォン３３は、ＱＲコードによって得られた情報が通信パラメータの設定を行うために必要な情報であった場合、ＱＲコードに含まれていた情報を第一ＡＰ３２に通知する（Ｆ４０３）。ここで送信する情報はＱＲコードに含まれていたすべての情報でも良いし、一部の情報でもよい。さらに、スマートフォン３３固有の情報を付け加えたものを通知しても良い。
【００２５】
第一ＡＰ３２は、スマートフォン３３からＦ４０３にて入手した第三ＡＰ３５の識別情報に基づいて、パラメータ共有処理開始要求信号をスマートフォン３３へ送信する（Ｆ４０４）。パラメータ共有処理開始要求信号を受信したスマートフォン３３は、通信パラメータを共有する処理が実施可能であれば、パラメータ共有処理開始応答を第一ＡＰ３２へ返送する（Ｆ４０５）。
【００２６】
その後、通信パラメータ共有処理をスマートフォン３３と第一ＡＰ３２との間で実施する（Ｆ４０６）。このＦ４０６での通信パラメータ共有処理は、上述のＷＰＳなどの標準化された方式に準拠していても良いし、標準化された方式ではない各社独自のパラメータ共有処理でもよい。本実施形態では、スマートフォン３３から第一ＡＰ３２へ通信パラメータが提供される。Ｆ４０６で実施した共有処理が完了した時点で、第一ＡＰ３２は、通信パラメータ共有処理が完了したことを示すパラメータ共有処理完了通知をスマートフォン３３へ送信する（Ｆ４０７）。
【００２７】
図４の動作シーケンスは、無線ネットワークを構築するために新たに参加させる無線ＬＡＮアクセスポイントが第一ＡＰ３２の一台だけである場合を説明した。次に、無線ネットワークに新たに参加させるＡＰが、第一ＡＰ３２と第二ＡＰ３４の複数台存在する場合の例について、図５を用いて説明を行う。
【００２８】
第一ＡＰ３２、スマートフォン３３、および第二ＡＰ３４との各通信装置間における通信設定時の接続シーケンスを図５に示す。
【００２９】
第一ＡＰ３２および第二ＡＰ３４は、通信パラメータの設定を行うために必要な情報を埋め込んだＱＲコードを自装置の表示部１０５にユーザ操作に従って表示させる。なお、第一ＡＰ３２は、通信パラメータ設定モードをユーザにより指示された場合、通信パラメータの設定を行うために必要な情報を埋め込んだＱＲコードを表示させるものとする（Ｆ５０１）。同様に第二ＡＰ３４も、通信パラメータ設定モードをユーザにより指示された場合、通信パラメータの設定を行うために必要な情報を埋め込んだＱＲコードを表示させるものとする（Ｆ５０２）。
【００３０】
本実施形態１においては、第一ＡＰ３２と第二ＡＰ３４の通信パラメータ設定処理を、一台ずつ順番に実施する。つまり、一台のＱＲコードを撮影し、通信パラメータ設定が完了した後、次の一台のＱＲコードを撮影し、通信パラメータ設定を実施していく。
【００３１】
まず、スマートフォン３３は、第一ＡＰ３２に表示されているＱＲコードを、スマートフォン３３の撮影部１０６により読み取る（Ｆ５０３）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。スマートフォン３３は、ＱＲコードの内容が通信パラメータの設定を行うために必要な情報であった場合、スマートフォン３３は、通信パラメータの提供を行う予定の自装置の識別情報を、第一ＡＰ３２へ通知する（Ｆ５０４）。
【００３２】
第一ＡＰ３２は、スマートフォン３３からＦ５０４にて入手した識別情報に基づいて、パラメータ共有処理開始要求信号をスマートフォン３３へ送信する（Ｆ５０５）。パラメータ共有処理開始要求信号を受信したスマートフォン３３は、通信パラメータを共有する処理が実施可能であれば、パラメータ共有処理開始応答を第一ＡＰ３２へ返送する（Ｆ５０６）。
【００３３】
その後、通信パラメータ共有処理を第一ＡＰ３２とスマートフォン３３との間で実施する（Ｆ５０７）。Ｆ５０７で実施した共有処理が完了した時点で、第一ＡＰ３２は通信パラメータ共有処理が完了したことを示すパラメータ交換完了通知をスマートフォン３３へ送信する（Ｆ５０８）。
【００３４】
以上の処理により、第一ＡＰ３２に無線ネットワーク３１の情報が設定された。引き続き第二ＡＰ３４を無線ネットワーク３１に接続するために、スマートフォン３３は、第二ＡＰ３４に表示されているＱＲコードを、スマートフォン３３の撮影部１０６により読み取る（Ｆ５０９）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
【００３５】
スマートフォン３３は、ＱＲコードの内容が通信パラメータの設定を行うために必要な情報であった場合、通信パラメータの提供を行う予定の自通信装置の識別情報を、第二ＡＰ３４へ通知する（Ｆ５１０）。
【００３６】
第二ＡＰ３４は、スマートフォン３３からＦ５１０にて受信したスマートフォン３３の情報に基づいて、パラメータ共有処理開始要求信号をスマートフォン３３へ送信する（Ｆ５１１）。パラメータ共有開始処理要求信号を受信したスマートフォン３３は、通信パラメータを共有する処理が実施可能であれば、パラメータ共有処理開始応答を第二ＡＰ３４へ返送する（Ｆ５１２）。
【００３７】
その後、通信パラメータ共有処理を第二ＡＰ３４とスマートフォン３３との間で実施する（Ｆ５１３）。Ｆ５１３で実施した共有処理が完了した時点で、第二ＡＰ３４はスマートフォン３３へ通信パラメータ共有処理が完了したことを示す、パラメータ交換完了通知をスマートフォン３３へ送信する（Ｆ５１４）。
【００３８】
以上の接続シーケンスにより、第一ＡＰ３２および第二ＡＰ３４は無線ネットワーク３１を構築することができる。
【００３９】
次に、図４及び図５におけるスマートフォン３３で実行される処理フローについて、図８を用いて説明する。図８はスマートフォン３３において実行される動作フローを説明するフローチャート図であり、フローチャートの各ステップは、記憶部１０３に記憶された制御プログラムを制御部１０２が実行することにより処理される。
【００４０】
スマートフォン３３は、ユーザによる入力部１０９の操作により、通信パラメータ設定アプリケーションを起動し、アクセスポイント逐次設定モードを有効化する（Ｓ８０１）。
そしてスマートフォン３３はアプリケーション起動後に、所望のＱＲコードを撮影する。すなわち本実施形態であれば、第一ＡＰ３２または第二ＡＰ３４のＱＲコードを撮影する（Ｓ８０２）。その後、スマートフォン３３は、撮影したＱＲコードを解析する（Ｓ８０３）。ＱＲコードを解析して得られた情報が通信パラメータの設定を行うために必要な情報であった場合、スマートフォン３３は、一台目のＡＰ（３２または３４）との間でパラメータ共有処理を実施する（Ｓ８０４）。そして、スマートフォン３３は、共有処理の実施が完了したかどうかのためのパラメータ交換完了通知を待ちうける（Ｓ８０５）。更にスマートフォン３３は、パラメータ交換完了通知を受信したか否かを判定（Ｓ８０６）し、受信していない場合は、所定の時間、ステップＳ８０５を繰り返す。一方ステップＳ８０６にてパラメータ交換完了通知を受信した場合は、スマートフォン３３は他にパラメータ交換をするＡＰがあるかをユーザに選択させる（Ｓ８０７）。
選択の結果、他にも通信パラメータの設定が必要なＡＰがある場合は、スマートフォン３３はステップＳ８０２から処理を繰り返し、通信パラメータ未設定のＡＰ（一台目のＡＰではない方のＡＰ）との間でパラメータ共有処理を実施する。ステップＳ８０２からステップＳ８０７の処理は通信パラメータ設定対象のＡＰがあれば三台目以降も同様に処理を繰り返す。一方ステップＳ８０７においてこれ以上設定する必要が無い場合は、ステップＳ８０１において有効化していたアクセスポイント逐次設定モードを無効化する（Ｓ８０８）。
【００４１】
以上のように本実施形態１においては、ＡＰに表示されたＱＲコードをスマートフォンで撮影するという簡便な操作によって、新たに当該ＡＰに無線パラメータを提供することができる。これにより、簡便な操作によってＡＰに所望の無線ネットワークを構築させることができるので、システムインテグレータの利便性が向上する。特に、複数のＡＰから構築される無線ネットワークを新たに構築する場合にも、当該複数のＡＰにそれぞれ表示されたＱＲコードをスマートフォンで順番に撮影すればよく、システムインテグレータの利便性が更に向上する。
【００４２】
尚、本実施形態１において、複数のＡＰに確実に通信パラメータを設定するために、スマートフォン３３がパラメータ交換完了通知を受信（Ｆ４１１）しなければ、更なるＱＲコードの撮影ができないように制限を行ってもよい。その場合、スマートフォン３３において、ＱＲコードを撮影するモードがユーザにより指示された際に、パラメータ交換完了通知を受信済みであるか判断され、その結果に応じてＱＲコードを撮影するモードが起動しないように制御する。このようにすることで、同時に複数の通信装置とパラメータ共有処理を開始してしまうことを防ぐことができ、処理負荷の削減を図ることができる。
【００４３】
（実施形態２）
実施形態１においては、スマートフォンが、第一ＡＰの通信パラメータ設定完了後に第二ＡＰのＱＲコードを撮影する例を説明した。これに対して実施形態２においては、スマートフォンが、あらかじめ複数のＡＰのＱＲコードを撮影する例について説明する。尚、通信システムの構成や各通信装置の構成は、図１〜３と同様のため説明は省略する。
無線ネットワーク３１を新たに構築させるＡＰが、第一ＡＰ３２と第二ＡＰ３４の複数台存在する場合の例について、図６を用いて説明を行う。尚、本実施形態も、２台のＡＰに通信パラメータを設定する場合に限らず、３台以上のＡＰに通信パラメータを設定する場合にも適用可能である。
【００４４】
第一ＡＰ３２、スマートフォン３３、および第二ＡＰ３４との各通信装置間における通信設定時の接続シーケンスを図６に示す。
【００４５】
第一ＡＰ３２および第二ＡＰ３４は、通信パラメータの設定を行うために必要な情報を埋め込んだＱＲコードを自装置の表示部１０５にユーザ操作に従って表示させる。なお、第一ＡＰ３２は、通信パラメータ設定モードをユーザにより指示された場合、通信パラメータの設定を行うために必要な情報を埋め込んだＱＲコードを表示させるものとする（Ｆ５０１）。同様に第二ＡＰ３４も、通信パラメータ設定モードをユーザにより指示された場合、通信パラメータの設定を行うために必要な情報を埋め込んだＱＲコードを表示させるものとする（Ｆ５０２）。
【００４６】
本実施形態２においては、第一ＡＰ３２と第二ＡＰ３４のＱＲコードを一括して撮影した後に、通信パラメータ設定処理を、一台ずつ順番に実施する。つまり、通信パラメータ設定対象の複数台のＡＰ用のＱＲコードを全て撮影した後、それぞれのＡＰとの間で、通信パラメータ設定を実施していく。
【００４７】
まず、スマートフォン３３は、第一ＡＰ３２に表示されているＱＲコードを、スマートフォン３３の撮影部１０６により読み取る（Ｆ６０１）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
【００４８】
次に、スマートフォン３３は、第二ＡＰ３４に表示されているＱＲコードを、スマートフォン３３の撮影部１０６により読み取る（Ｆ６０２）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
スマートフォン３３は、第一ＡＰ３２から読みとったＱＲコードの内容が通信パラメータの設定を行うために必要な情報であった場合、通信パラメータの提供を行う予定の自装置の識別情報を、第一ＡＰ３２へ通知する（Ｆ５０４）。
【００４９】
第一ＡＰ３２は、スマートフォン３３からＦ５０４にて入手した識別情報に基づいて、パラメータ共有処理開始要求信号をスマートフォン３３へ送信する（Ｆ５０５）。パラメータ共有処理開始要求信号を受信したスマートフォン３３は、通信パラメータを共有する処理が実施可能であれば、パラメータ共有処理開始応答を第一ＡＰ３２へ返送する（Ｆ５０６）。
【００５０】
その後、通信パラメータ共有処理を第一ＡＰ３２とスマートフォン３３との間で実施する（Ｆ５０７）。Ｆ５０７で実施した共有処理が完了した時点で、第一ＡＰ３２は通信パラメータ共有処理が完了したことを示すパラメータ交換完了通知をスマートフォン３３へ送信する（Ｆ５０８）。
【００５１】
以上の処理により、第一ＡＰ３２に無線ネットワーク３１の情報が設定された。引き続き、第二ＡＰ３４との間で処理を行う。スマートフォン３３は、第二ＡＰ３４から読みとったＱＲコードの内容が通信パラメータの設定を行うために必要な情報であった場合、通信パラメータの提供を行う予定の自装置の識別情報を、第二ＡＰ３４へ通知する（Ｆ５１０）。
【００５２】
第二ＡＰ３４は、スマートフォン３３からＦ５１０にて入手したスマートフォン３３の情報に基づいて、パラメータ共有処理開始要求信号をスマートフォン３３へ送信する（Ｆ５１１）。パラメータ共有開始処理要求信号を受信したスマートフォン３３は、通信パラメータを共有する処理が実施可能であれば、パラメータ共有処理開始応答を第二ＡＰ３４へ返送する（Ｆ５１２）。
【００５３】
その後、通信パラメータ共有処理を第二ＡＰ３４とスマートフォン３３との間で実施する（Ｆ５１３）。Ｆ５１３で実施した共有処理が完了した時点で、第二ＡＰ３４は通信パラメータ共有処理が完了したことを示す、パラメータ交換完了通知をスマートフォン３３へ送信する（Ｆ５１４）。
【００５４】
以上の接続シーケンスにより、第一ＡＰ３２および第二ＡＰ３４は無線ネットワーク３１を構築することができる。
【００５５】
次に、図６においてスマートフォン３３で実行される処理フローについて、図９を用いて説明する。図９はスマートフォン３３において実行される動作フローを説明するフローチャート図であり、フローチャートの各ステップは、記憶部１０３に記憶された制御プログラムを制御部１０２が実行することにより処理される。
【００５６】
スマートフォン３３は、ユーザによる入力部１０９の操作により、通信パラメータ設定アプリケーションを起動し、アクセスポイント一括設定モードを有効化する（Ｓ９０１）。
そしてスマートフォン３３はアプリケーション起動後に、第一ＡＰ３２または第二３４のＱＲコードを撮影する（Ｓ９０２）。その後、スマートフォン３３は、撮影したＱＲコードを解析する（Ｓ９０３）。ＱＲコードを解析して得られた情報が通信パラメータの設定を行うために必要な情報であった場合、その情報を記憶する。他にパラメータ交換をするＡＰがあるかをユーザに選択させる（Ｓ９０４）。選択の結果、他にも通信パラメータの設定が必要なＡＰがある場合は、ステップＳ９０２から処理を繰り返す。
一方ステップＳ９０４においてこれ以上設定する必要が無い場合は、スマートフォン３３は、撮影済みのＱＲコードの個数、すなわち、通信パラメータの設定が必要なＡＰの台数を確認する（Ｓ９０５）。
スマートフォン３３は、取得した情報の中から任意の一つのＡＰとの間でパラメータ共有処理を実施する（Ｓ９０６）。そして、パラメータ共有処理の実施が完了したことを示すパラメータ交換完了通知を待ちうける（Ｓ９０７）。スマートフォン３３は、パラメータ交換完了通知を受信したか否かを判定（Ｓ９０８）し、受信していない場合は、所定の時間、ステップＳ９０７を繰り返す。一方ステップＳ９０８でパラメータ交換完了通知を受信した場合は、スマートフォン３３は、他にパラメータ交換をするＡＰがあるかを判定する（Ｓ９０９）。具体的には、ステップＳ９０５で記憶した個数情報と、パラメータ交換完了通知を送信したＡＰの数とを比較することによって判定する（Ｓ９０９）。
判定の結果、他にも通信パラメータの設定が必要なＡＰがある場合は、ステップＳ９０６から処理を繰り返す。一方ステップＳ９０９においてこれ以上設定する必要が無い場合は、ステップＳ９０１において有効化していたアクセスポイント一括設定モードを無効化する（Ｓ９１０）。
【００５７】
以上のように本実施形態２においては、スマートフォンにおいて、一つ目に読み取ったＱＲコードに基づく通信パラメータ共有処理が終了するまで待つことなく、二つ目以降のＱＲコードの読み取りを開始することができる。これにより、実施形態１により得られる効果に加えて、よりユーザの利便性が向上する。
【００５８】
（実施形態３）
実施形態１および２は、スマートフォンが、複数のＡＰの通信パラメータ設定を行う例を説明した。本実施形態３では、スマートフォンが、第一ＡＰの通信パラメータ設定完了後、残りの第二ＡＰおよび第三ＡＰの通信パラメータ設定を、スマートフォンの代わりに第一ＡＰが実施する例について説明する。尚、通信システムの構成や各通信装置の構成は、図１〜３と同様のため説明は省略する。
第一ＡＰ３２、スマートフォン３３、第二ＡＰ３４、および第三ＡＰ３５との各通信装置間における通信設定時の接続シーケンスを図７に示す。
【００５９】
第一ＡＰ３２、第二ＡＰ３４および第三ＡＰ３５は、通信パラメータの設定を行うために必要な情報を埋め込んだＱＲコードを自装置の表示部１０５にユーザ操作に従って表示させる。なお、第一ＡＰ３２は、通信パラメータ設定モードをユーザにより指示された場合、通信パラメータの設定を行うために必要な情報を埋め込んだＱＲコードを表示させるものとする（Ｆ７０１）。同様に第二ＡＰ３４および第三ＡＰ３５も、通信パラメータ設定モードをユーザにより指示された場合、通信パラメータの設定を行うために必要な情報を埋め込んだＱＲコードを表示させる（Ｆ７０２、Ｆ７０３）。
【００６０】
本実施形態３においては、第一ＡＰ３２、第二ＡＰ３４および第三ＡＰ３５のＱＲコードを一括して撮影した後に、通信パラメータ設定処理を、スマートフォン３３は任意の一台のＡＰと実施する。残りのＡＰとの通信パラメータ設定処理は、スマートフォン３３と設定処理を実施した特定のＡＰとの間で実施される。つまり、通信パラメータ設定対象の複数台のＡＰのＱＲコードを全て撮影した後、特定の一台のＡＰがスマートフォン３３の代理装置として通信パラメータ設定処理を実施する。
【００６１】
まず、スマートフォン３３は、第一ＡＰ３２に表示されているＱＲコードを、スマートフォン３３の撮影部１０６により読み取る（Ｆ７０４）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
【００６２】
次に、スマートフォン３３は、第二ＡＰ３４に表示されているＱＲコードを、スマートフォン３３の撮影部１０６により読み取る（Ｆ７０５）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
【００６３】
次に、スマートフォン３３は、第三ＡＰ３５に表示されているＱＲコードを、スマートフォン３３の撮影部１０６により読み取る（Ｆ７０６）。スマートフォン３３は、読み取ったＱＲコードを復号し、そのＱＲコードが示す情報を取得する。スマートフォン３３は、ＱＲコードにより取得される情報が通信パラメータの設定を行うために必要な情報であるか否かを判定する。
スマートフォン３３は、第一ＡＰ３２から読みとったＱＲコードの内容が通信パラメータの設定を行うために必要な情報であった場合、通信パラメータの提供を行う予定の自装置の識別情報を、第一ＡＰ３２へ通知する（Ｆ７０７）。
【００６４】
第一ＡＰ３２は、スマートフォン３３からＦ７０７にて入手した識別情報に基づいて、パラメータ共有処理開始要求信号をスマートフォン３３へ送信する（Ｆ７０８）。パラメータ共有処理開始要求信号を受信したスマートフォン３３は、通信パラメータを共有する処理が実施可能であれば、パラメータ共有処理開始応答を第一ＡＰ３２へ返送する（Ｆ７０９）。その後、通信パラメータ共有処理を第一ＡＰ３２とスマートフォン３３との間で実施する（Ｆ７１０）。
【００６５】
本実施形態では、スマートフォン３３は、第一ＡＰ３２との間で実行する通信パラメータ共有処理の中で、Ｆ７０５、Ｆ７０６において取得した第二３４および第三ＡＰ３５の情報も第一ＡＰ３２へ通知する。そして、これらの情報を受信した第一ＡＰ３２は、スマートフォン３３から取得した通信パラメータを他のＡＰへ提供する機能（以降、代理機能とする）を有しているかどうかを判定する。代理機能を有している場合は、その旨をスマートフォン３３に通知する。
【００６６】
その後、第一ＡＰ３２はスマートフォン３３から受信した第二ＡＰ３４の情報に基づいて、通信パラメータの提供を行う予定の自装置の識別情報を、第二ＡＰ３４へ通知する（Ｆ７１１）。
【００６７】
第二ＡＰ３４は、第一ＡＰ３２からＦ７１１にて入手した識別情報に基づいて、パラメータ共有処理開始要求信号を第一ＡＰ３２へ送信する（Ｆ７１２）。パラメータ共有処理開始要求信号を受信した第一ＡＰ３２は、通信パラメータを共有する処理が実施可能であれば、パラメータ共有処理開始応答を第二ＡＰ３４へ返送する（Ｆ７１３）。その後、通信パラメータ共有処理を第一ＡＰ３２と第二ＡＰ３４との間で実施する（Ｆ７１４）。
【００６８】
引き続き、第一ＡＰ３２は第三ＡＰ３４との間で通信を行う。第一ＡＰ３２はスマートフォン３３から受信した第三ＡＰ３５の情報に基づいて、通信パラメータの提供を行う予定の自装置の識別情報を、第三ＡＰ３５へ通知する（Ｆ７１５）。
【００６９】
第三ＡＰ３５は、第一ＡＰ３２からＦ７１５にて入手した識別情報に基づいて、パラメータ共有処理開始要求信号を第一ＡＰ３２へ送信する（Ｆ７１６）。パラメータ共有処理開始要求信号を受信した第一ＡＰ３２は、通信パラメータを共有する処理が実施可能であれば、パラメータ共有処理開始応答を第三ＡＰ３５へ返送する（Ｆ７１７）。その後、通信パラメータ共有処理を第一ＡＰ３２と第三ＡＰ３５との間で実施する（Ｆ７１８）。
【００７０】
第二ＡＰ３４および第三ＡＰ３５との間で通信パラメータ共有処理が終わった第一ＡＰ３２は、パラメータ共有処理完了通知をスマートフォン３３へ送信する（Ｆ７１９）。ここで送信される完了通知には、第二ＡＰ３４及び第三ＡＰ３５に対するパラメータ共有処理も完了したことを情報が含まれていてもよい。
【００７１】
次に、図７における各ＡＰで実行される処理フローについて、図１０を用いて説明する。図１０のフローチャートの各ステップは、記憶部１０３に記憶された制御プログラムを制御部１０２が実行することにより処理される。また、本フローチャートは、他装置から送信された提供装置情報を、ＡＰが受信した際に開始される。
【００７２】
まず、ＡＰ（例えば第一ＡＰ３２とする）は、パラメータ共有処理開始要求を、提供装置情報の送信元である相手装置へ送信する（Ｓ１００１）。
【００７３】
その後、相手装置からの、パラメータ共有処理開始応答を待ちうける（Ｓ１００２）。パラメータ共有処理開始応答を受信した場合（Ｓ１００３でＹｅｓ）は、パラメータ共有処理開始応答の送信元である相手装置と、パラメータ共有処理を実行する（Ｓ１００４）。パラメータ共有処理開始応答を所定の時間受信しない場合（Ｓ１００４でＮｏ）は、エラー終了してもよい。
【００７４】
第一ＡＰ３２は、Ｓ１００４における相手装置とのパラメータ共有処理が終了すると、そのパラメータ共有処理において相手装置から他のＡＰの識別情報が通知されたか否かを判定する（Ｓ１００５）。他のＡＰの情報が通知されていた場合（Ｓ１００５でＹｅｓ）、第一ＡＰ３２は、自身が代理機能を備えているか判定する（Ｓ１００６）。一方、Ｓ１００５において他のＡＰの情報が通知されていないと判定された場合（Ｓ１００５でＮｏ）は、第一ＡＰ３２は、パラメータ共有処理の完了通知を相手装置に送信し（Ｓ１００９）、処理を終了する。
【００７５】
Ｓ１００６において、自身が代理機能を備えていると判定された場合（Ｓ１００６でＹｅｓ）は、スマートフォン３３は、自身が代理機能を備えていることを相手装置に通知し、処理はＳ１００７へ進む。一方、Ｓ１００６において、自身が代理機能を備えていないと判定された場合（Ｓ１００６でＮｏ）は、スマートフォン３３は、自身が代理機能を備えていないこと、及びパラメータ共有処理の完了通知を相手装置に通知し、処理を終了する。
【００７６】
Ｓ１００７において、第一ＡＰ３２は、提供装置情報として自装置の識別情報を他のＡＰ（例えば第二ＡＰ３４とする）に送信し、第二ＡＰ３４との間でパラメータ共有処理を実行する。第二ＡＰ３４とのパラメータ共有処理が終了すると、第一ＡＰ３２は、パラメータ共有処理を実行すべき更に別のＡＰが残っているか否か判定する（Ｓ１００８）。更に別のＡＰが残っている場合には、そのＡＰ（例えば第三ＡＰ３５とする）との間でパラメータ共有処理を実行する（Ｓ１００７）。パラメータ共有処理を実行すべき別のＡＰが残っていない場合には、完了通知を相手装置（Ｓ１００４においてパラメータ共有処理を行った相手装置）に送信し、処理を終了する（Ｓ１００９）。尚、ここで送信される完了通知には、他のＡＰとのパラメータ共有処理が完了していることを示す情報が含まれていてもよい。
【００７７】
以上のように本実施形態３においては、通信パラメータの提供を受けた装置（例えば第一ＡＰ３２）が、以降、スマートフォン３３に代わり他のアクセスポイント（例えば第二ＡＰ３４、第三ＡＰ３５）に通信パラメータを提供する。これにより通信システム全体の処理の効率を向上させることができる。また、スマートフォンの負荷を分散させることが可能となる。尚、本実施形態３では、３台のＡＰに通信パラメータを設定する例について説明したが、３台に限らず、２台以上のＡＰに対して適用可能である。
【００７８】
（その他の実施形態）
上述の各実施形態において、スマートフォンとアクセスポイントとの間でやりとりされる各メッセージは、例えば、ＩＥＥＥ８０２．１１規格に基づくアクションフレーム（Ａｃｔｉｏｎ  Ｆｒａｍｅ）を用いて送信してもよい。例えば、提供装置情報、パラメータ共有処理開始要求、パラメータ共有処理開始応答、パラメータ共有処理完了通知の全て又は一部は、ＩＥＥＥ８０２．１１規格に基づくアクションフレームを用いて送信することができる。
【００７９】
また、上述の各実施形態は、適宜組み合わせることが可能であり、例えばスマートフォンがどの実施形態に従って動作するかを、ユーザの操作によって選択可能としてもよい。例えば、スマートフォンの表示部に、「ＡＰ逐次設定モード（実施形態１）」「ＡＰ一括設定モード（実施形態２）」「代理依頼モード（実施形態３）」の何れのモードで動作するかを選択させる画面を表示させてユーザに選択させてもよい。
【００８０】
上述の各実施形態においては、ＱＲコードの画像を利用して通信パラメータの設定を行うための情報を装置間でやり取りする構成について説明した。しかし、ＱＲコードの撮影に代えて、ＮＦＣやＢｌｕｅｔｏｏｔｈ（登録商標）などの無線通信を用いてもよい。また、ＩＥＥＥ８０２．１１ａｄもしくはトランスファージェット（ＴｒａｎｓｆｅｒＪｅｔ）（登録商標）等の無線通信を用いてもよい。
【００８１】
なお、読みとるＱＲコードは表示部に表示されているＱＲコードだけではなく、通信装置の筺体にシールなどに記載された形態で貼り付けられていたり、直接記載されたＱＲコードであってよい。また、読みとるＱＲコードは取扱説明書や通信装置の販売時の段ボールなどの包装などの付属物に記載されたり貼り付けられているものであってもよい。また、ＱＲコード以外に一次元バーコード、ＱＲコード以外の二次元コードであっても良い。また、ＱＲコードなどの機械が読み取り可能な情報に代えて、ユーザが読みとれる形式の情報であっても良い。
【００８２】
また、各実施形態において、装置間の通信をＩＥＥＥ８０２．１１準拠の無線ＬＡＮ通信により行う場合について説明したが、これに限る物ではない。例えば、ワイヤレスＵＳＢ、ＭＢＯＡ、Ｂｌｕｅｔｏｏｔｈ（登録商標）、ＵＷＢ、ＺｉｇＢｅｅ、ＮＦＣ等の無線通信媒体を用いて実施してもよい。ここで、ＭＢＯＡは、Ｍｕｌｔｉ  Ｂａｎｄ  ＯＦＤＭ  Ａｌｌｉａｎｃｅの略である。また、ＵＷＢは、ワイヤレスＵＳＢ、ワイヤレス１３９４、ＷＩＮＥＴなどが含まれる。
【００８３】
また、各実施形態において、無線ＬＡＮのアクセスポイントに対して無線パラメータを提供する場合について記載したが、これに限るものではない。例えば、アクセスポイント相当の機能を果たすＷｉ−Ｆｉ  Ｄｉｒｅｃｔ（登録商標）のグループオーナーとして動作可能な装置に対して無線パラメータを提供するものも含む。
【００８４】
尚、通信装置はスマートフォンやアクセスポイント専用機に限定されるものではなく、ＰＣや各種スマートデバイスや、デジタルカメラやプリンタや各種デジタル家電等も含まれる。
【００８５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８６】
１０２  制御部
１０３  記憶部
１０４  無線部
１０５  表示部
１０６  撮影部
【図１】
0006545026.tif 000002
【図２】
0006545026.tif 000003
【図３】
0006545026.tif 000004
【図４】
0006545026.tif 000005
【図５】
0006545026.tif 000006
【図６】
0006545026.tif 000007
【図７】
0006545026.tif 000008
【図８】
0006545026.tif 000009
【図９】
0006545026.tif 000010
【図１０】
0006545026.tif 000011